(57)【要約】【課題】  従来の開脚防止部材を有する脚立は、人が踏み板上に載って動くと脚立が揺れ動き、女性、幼児、高齢者にとって使いにくかった。又、これらの脚立を折畳んでも嵩張るため、不使用時に折畳んで室内に保管するにも、釣やキャンプなど野外レジャーに出かけるとき車の車内やトランクに入れると邪魔になり、持ち運ぶには不便であった。  本発明は、立脚時に人が乗って動いても揺れないように確実に固定され（第１目的）、折畳むと１本の棒状になり、室内は勿論、車内や車のトランクに入れても邪魔にならない（第２目的）脚立を提供する。【解決手段】  本発明の脚立は、脚間に踏み板１を有する一対の梯子体２を央部で回動自在に連結する連結部を有する脚立であって、該一対の梯子体２をＶ型に折り曲げた連結部３を内外から挟持し、連結部３をＶ型に固定する固定部材７を有することを特徴とする。【選択図】図１
2005126906.tif 000002
【特許請求の範囲】
【請求項１】
脚間に踏み板を有する一対の梯子体を連結部で回動自在に連結した脚立であって、
該一対の梯子体をＶ型に折り曲げたとき、前記連結部を内外から挟持し、連結部をＶ型に固定する固定部材を有することを特徴とする脚立。
【請求項２】
前記固定部材が、
前記Ｖ型に折り曲げた連結部を上方から覆い、一対の梯子体をＶ型に開閉する方向の外側から脚に当接する係止部材と、
該係止部材が当接した脚外周の位置と異なる他の位置に当接する当接部材と、
を有することを特徴とする請求項１記載の脚立。
【請求項３】
前記固定部材が、
前記Ｖ型に折り曲げた連結部を上方から覆い、一対の梯子体を開脚する方向の脚の傾斜した外側に当接し、下方が開口された函を有する係止部材と、
前記Ｖ型に折り曲げた一対の梯子体の連結部の内側から挿入或は内側に回動すると脚の側部に当接する突起を外周に有する棒状に形成された当接部材と、
を有し、
該係止部材と当接部材によりＶ型に折り曲げた連結部を緊挟持し、固定することを特徴とする請求項１又は２記載の脚立。
【請求項４】
前記脚間の踏み板の両端を回動自在に取付け、折畳むと一対の梯子体が１本の棒状になることを特徴とする請求項１乃至３のうち１項記載の脚立。
【請求項５】
前記踏み板或は脚の何れか一方に、踏み板或は脚の長さ方向に摺動自在に取付けられた摺動片と、
該摺動片に一端が回動自在に取付けられ、他端が前記踏み板或は脚の何れか他方に回動自在に取付けられた筋交と、
を有することを特徴とする請求項４記載の脚立。
【発明の詳細な説明】
【技術分野】
【０００１】
本発明は、脚立に関し、特に、人が脚立に乗って動いても安定して揺れず、室内においても車内や車のトランクに入れても邪魔にならないように、折畳めば１本の棒状になり嵩張らない脚立に関するものである。
【背景技術】
【０００２】
従来、踏み板を有する一対の梯子体を中間部で回動自在に連結し、両端が開閉自在な脚立は、立脚時に該一対の梯子体の両端が開脚しないように両梯子体の脚或は踏み板を連結する連結杆或は連結鎖即ち開脚防止部材が取付けられていた（例えば、特許文献１、特許文献２参照）。これらの脚立は、連結された梯子体の両端を単に開閉できるようにしたものであった。
【特許文献１】特開平０５―２５６０７７号
【特許文献２】登録実用新案第３０５９９３６号
【発明の開示】
【発明が解決しようとする課題】
【０００３】
立脚し開脚防止部材を係止した脚立は、梯子体の対向する脚間或は踏み板間に開脚防止部材を単に係止しただけで、人が脚立に乗って動くと脚立が揺れ不安定で、女性や幼児或は高齢者にとって使いにくかった。又、これらの脚立を二つに折畳んでも嵩張るため、室内に保管するにも、釣やキャンプなど野外レジャーに出かけるときに車内やトランクに入れて運ぶにも不便であった。
【０００４】
本発明は、立脚時に確実に固定され、人が脚立上で動いても揺れず、女性や幼児或は高齢者が安心して使える脚立を提供することを第１の目的とする。又、使わないときは、折畳めば1本の棒状になり、室内は勿論、車内や車のトランク内に入れても邪魔にならない脚立を提供することを第２の目的とする。
【課題を解決するための手段】
【０００５】
上記の第１の目的を達成するために本願の第１の発明の脚立は、脚間に踏み板を有する一対の梯子体を連結部で回動自在に連結した脚立であって、該一対の梯子体をＶ型に折り曲げたとき、前記連結部を内外から挟持し、Ｖ型に固定する固定部材を有することを特徴とする。
【０００６】
上記の第１の目的を達成するために本願の第２の発明の脚立は、前記第１の発明の脚立の固定部材をＶ型に折り曲げた連結部を上方から覆い、一対の梯子体を開脚する方向の外側から脚に当接する係止部材と、該係止部材が当接した脚外周の位置と異なる他の位置に当接する当接部材とすることができる。
【０００７】
上記の第１の目的を達成するために本願の第３の発明の脚立は、前記第１の発明の脚立の固定部材をＶ型に折り曲げた連結部を上方から覆い、一対の梯子体を開脚する方向の傾斜した外側に当接し、下方が開口された函を有する係止部材と、Ｖ型に折り曲げた梯子体の連結部の内側から挿入或は内側に回動すると脚の側部に当接する突起を外周に有し、棒状に形成された当接部材とし、係止部材と当接部材とによりＶ型に折り曲げた連結部を緊挟持し、固定することができる。
【０００８】
上記の第１と第２の目的を達成するために本願の第４の発明の脚立は、前記第１乃至第３脚立の梯子体の脚間に踏み板の両端を回動自在に取付け、折畳めば一対の梯子体を１本の棒状にすることができる。
【０００９】
上記の第１と第２の目的を達成するために本願の第５の発明の脚立は、前記踏み板或は脚の何れか一方に、踏み板或は脚の長さ方向に摺動自在に取り付けられた摺動片と、該摺動片に一端が回動自在に取付けられ、他端が前記踏み板或は脚の何れか他方に回動自在に取付けられた筋交と、を有する。
【発明の効果】
【００１０】
本願の第１の発明の脚立は、一対の梯子体を央部の連結部で折畳み自在に連結された脚立の連結部をＶ型に折り曲げ、このＶ型に折り曲げたを連結部を内外から固定部材で挟持したので、脚立はＶ型に固定され、脚立に人が載って動いても揺れず、安全である。
【００１１】
本願の第２の発明の脚立は、前記固定部材が、Ｖ型に折り曲げた連結部を覆い、一対の梯子体をＶ型に開閉する方向の外側から脚に当接する係し部材と、この係止部材が当接した位置と異なる他の位置に当接する当接部材を有するので、第１の発明の脚立と同様の効果が得られる。
【００１２】
本願の第３の発明の脚立は、前記固定部材が、Ｖ型に折り曲げた連結部を上方から覆い、一対の梯子体を開脚する方向の脚の傾斜した外側に当接し、下方が開口した函を有する係止部材と、Ｖ型に折り曲げた一対の梯子体の連結部の内側から挿入或は内側に回動すると脚の側部に当接する突起を有し、棒状に形成された当接部材とを有し、係止部材と当接部材によりＶ型に折り曲げた連結部を緊挟持したので、第１の発明の効果を確実に実現できる。
【００１３】
本願の第４の発明の脚立は、脚間に踏み板の両端を回動自在に取り付け一対の梯子体を折畳むと、１本の棒状になり嵩張らなくなった。この結果、不使用時に棒状に折畳むと室内は勿論車の車内やトランク内においても邪魔にならず、製造から流通に至る間を含む移動コストが大幅に低減されると共に不使用時の保管スペースが極めて小さく保管コストも大幅に低減できた。
【００１４】
本願の第５の発明の脚立は、前記踏み板或は脚の何れか一方に、踏み板或は脚の長さ方向に摺動自在に取り付けられた摺動片と、該摺動片に一端が回動自在に取付けられ、他端が前記踏み板或は脚の何れか他方に回動自在に取付けられた筋交と、を有するので、前記第４の発明と同様の効果に加え、立脚時の安定度が増した。
【発明を実施するための最良の形態】
【００１５】
以下、本発明の実施例を図面を用いて説明する。図１は、本発明の分解斜視図であり、図２は、図１のＡ―Ａ線要部拡大断面図であり、図３は、図２のＢ―Ｂ線要部拡大断面図であり、図４は、図３のＩ―Ｉ線要部拡大断面図である。
【００１６】
これらの図に示す脚立は、脚６間に複数の踏み板１の両端を取付けた一対の梯子体２を連結部３で折曲自在に連結したものであり、この脚立本体４の両端は開閉自在である。
【００１７】
前記複数の踏み板１のうちの何れかの踏み板１ａ（図では、連結部３でＶ型に折り曲げて立脚した時の上端の踏み板）と脚６に筋交１ｂの両端を取付ける。この取付け方は、筋交１ｂの両端を踏み板１ａと脚６に固定して取付けても良い。或は、後述するように筋交１ｂの一端を踏み板１ａと脚６の何れか一方に回動自在に取付け、筋交１ｂの他端を踏み板１ａと脚６の何れか他方に設けた受け部に着脱自在に係止しても良い。脚立本体４を連結部３でＶ型に折り曲げた状態を保持する開脚防止部材としての杆或は鎖５等を脚立本体４の折り曲げ方向の対向する脚６の対向する位置或は対向する踏み板１の対向する位置に設ける。
【００１８】
固定部材７は、Ｖ型に折り曲げた連結部３の内側（脚立立脚時の下方）から連結部３に当接する当接部材８と、この当接部材８を連結部３に取付ける係止部材９とから構成される。
【００１９】
図２に示すように、Ｖ型に折り曲げた連結部３に当接部材８を取付ける係止部材９は、踏み板１ａとして使えるように上端が平坦に形成され、下方が開口された函１４である。函１４の一端側に取付け部材１５が設けられ、この取付け部材１５に前記軸棒８の一端が軸１１ａにより回動自在に取付けられている。函１４の内面は、断面が台形状につくられ、内壁面の傾斜角度は、Ｖ型に折り曲げた連結部３の脚６を傾斜させる角度である。函１４の他端には、前記掛け止め具としてのバックル１３を掛け止める掛け止め部１６が設けられている。この係止部材９の函１４は、脚立本体４をＶ型に折り曲げた時の連結部３を上方から覆い、一対の梯子体２を開脚する方向の脚６の外側の傾斜面に当接させる。
【００２０】
前記当接部材８は、両端にネジ溝１０を設けた軸棒１１と、軸棒１１のネジ溝１０に螺着された突起としての複数の当接駒１２ａ，１２ｂ，１２ｃと、軸棒１１の他端に設けた掛け止め具としてのバックル１３とを有する。当接駒１２ａ，１２ｂ，１２ｃは、円板上に円錐台形状突起を設け、軸心に軸棒１１のネジ溝１０と螺着するネジ溝が設けられている。
【００２１】
係止部材９の函１４をＶ型に折り曲げた連結部３の上方から覆い、当接部材８を回動して他端のバックル１３を掛け止め部１６に掛け止めると、当接駒１２ａ，１２ｂ，１２ｃの円板の側面１２ｈ（円錐台形状突起が設けられた側の円板の側面）が、連結部３の内側から４本の脚６の側面に対面する当接駒１２ａ，１２ｂ，１２ｃを締付けて当接駒１２ａの最外周の側面１２ｈと、当接駒１２ｂ，１２ｃの最外周側面１２ｈとを連結部３の対向する脚６の側面に圧接させ、当接駒１２ｂ，１２ｃの円板の側面１２ｈとの間に連結部３の対向する脚６を圧接挟持させる。軸棒１１のネジ溝１０に螺着した当接駒１２ａ，１２ｂ，１２ｃをねじ込み或は緩めて螺着位置と挟持圧力をを調整できる。
【００２２】
尚、当接駒１２ａ，１２ｂ，１２ｃの形状は、上記当接駒１２ａ，１２ｂ，１２ｃと同様の作用効果が得られれば図示した形状に拘るものではない。
【００２３】
上記構成を備えた脚立は、脚立本体４を連結部３でＶ型に折り曲げ、開脚防止部材５を脚立本体４の対向する脚６間に係止して立脚する。Ｖ型に折り曲げた連結部３を上方から係止部材９の函１４で覆うと、連結部３でＶ型に折り曲げられた脚６の外側の傾斜した面（開脚方向の傾斜面）は、函１４の傾斜した内壁面と当接し、内壁面の傾斜角以上に開くことができない。
【００２４】
次に、軸１１ａにより係止部材９と回動自在に取り付けられた当接部材８を連結部３の内側に回動しバックル１３を掛け止め、当接部材８の当接駒１２ａ，１２ｂ，１２ｃを回転して側面１２ｈを脚６の側面に圧接させる。
【００２５】
このようにしてＶ型に折り曲げられた連結部３は、当接部材８と係止部材９の間に挟持され、確りと確実に固定される（図４参照）。従って、連結部３が確りと固定された脚立上に乗った人が作業中に動いても揺れず、安全である。又、踏み板１ａと脚６は、筋交１ｂの両端により連結され、固定部材７との相乗効により上記の揺れが更に少なくなる。
【００２６】
図５は、本発明の脚立の固定部材の異なる実施例を示す拡大断面図である。図に示すように、当接部材８の両端に掛け止め具１７を設け、係止部材９の両端にも掛け止め部１６を設け、この両掛け止め具１７を両掛け止め部１６に掛け止める。このような構成の脚立は、前記実施例と同様の効果が得られる。
【００２７】
図６は、脚立の異なる実施例を示す要部拡大断面図である。図に示すように、軸棒１１と係止部材９をコイルスプリング等弾性体からなる連結部材２０で連結することもできる。この連結部材２０は、Ｖ型に折り曲げた連結部３に固定部材７を取り付けたとき、当接部材8の軸棒１１と係止部材９を常時引寄せるように作用する。又、軸棒１１の他端側の当接駒１２ｃに把持部を設け把持部付当接駒１２ｄとし、この把持部付当接駒１２ｄを回転させてねじ込み、脚６を締付けることもできる。この構成の脚立は、前述の実施例と同様の効果を有する。
【００２８】
図７は、一部の当接駒を軸棒と一体化した実施例を示す要部拡大断面図である。図に示すように、複数の当接駒１２ａ，１２ｂ，１２ｃの内の任意の１つ或は何個か（図では、１２ａ）を軸棒１１に固着した当接駒１２ｅとしても良い。この構成の固定部材を有する脚立も前記実施例と同様の効果を有する。
【００２９】
図８は、脚立の異なる実施例を示す要部拡大断面図であり、図９は、図８のＣ―Ｃ線断面図である。図に示すように、軸棒１１の央部他端寄りに係止部２１を設け、軸棒１１の他端側で前記連結部３に固定部材７を取付けたときの脚６の内側に当接する当接駒１２ｂと係止部２１間の軸棒１１にコイルスプリング（或はゴム等）等の弾性体２２を外挿する。この脚６の内側に当接する当接駒１２ｂに脚立本体４の外側から押圧する枠体で形成した押圧部材２３（図示した形状に拘らない）を設ける。このような構成の脚立は、前記実施例と同様な効果に加え、Ｖ型に折り曲げた連結部３に固定部材７を取付けたとき、この押圧部材２３を押圧することにより連結部３に取付けた固定部材７の位置を簡単に微調整できる。
【００３０】
図１０は、本発明の脚立の異なる実施例を示す側面図であり、図１１は、図１０の脚立の正面図である。図１０に示すように、脚立本体３０の対向する脚３１（踏み板でも良い）の側部に開脚防止部材３２を設ける。開脚防止部材３２は、央部で折畳み自在な杆体（鎖でも良い）からなり、両端が脚３１の側部に回動自在に取り付けられている。図１１に示すように、一対の梯子体３３の両脚３１間に設けられた踏み板３４は、央部で回動自在に連結され、央部に過回動防止部材３５を有する棒体或は板である。この踏み板３４の両端は、梯子体３３の両脚３１に回動自在に取り付けられている。３６は、連結部である。
【００３１】
上記構成の脚立は、固定部材７と開脚防止部材３２を外して一対の梯子体３３を連結部３６で２つ折に折畳み、次いで踏み板３４を折畳むと（この順序は逆でも良い）、４本の脚３１が１本の棒状になり、保管や移動が大変容易である。
【００３２】
上記構成の脚立に前述の各実施例の固定部材７を組合せることにより、連結部３６でＶ型に折り曲げて立脚した脚立は、確りと固定され、折畳めば１本の棒状となり、室内に置いても、自動車の室内やトランク内に入れても邪魔にならず手軽に持ち運べる。
【００３３】
図１２は、脚立の異なる実施例を示す要部拡大断面図付正面図である。図に示すように、踏み板４０を棒状或は板状に形成し、両端を脚３１に回動自在に取り付け、脚３１に取り付けた踏み板４０の上下の何れかの側の位置の脚３１に過回動防止部材４１を設ける。脚立を上記構成とすることにより４本の脚３１が１本の棒状に折畳める。但し、踏み板４０の長さ分長い棒である。踏み台４０ａも踏み板４０と同様に両端が回動自在になっている。筋交４０ｂは、たとえば、下側を脚３１から外すことで、矢印方向に回転できるようになっている。
【００３４】
上記図１０乃至１２で説明した構成の脚立に、前述の図１乃至９で説明した各実施例の固定部材７を組合せた脚立は、前記実施例と同様に確りと固定される上に、折畳めば１本の棒状となり、室内は勿論、自動車の室内やトランク内に入れても邪魔にならず持ち運びが容易である。
【００３５】
又、各脚３１の下端部近傍に内外を貫通する孔４２を設け、脚立転倒防止部材としての棒体４３を設ける。この棒体４３は、脚立を立設したとき、脚３１の軸方向と交叉する方向で４本の脚３１が接地する面より外延方向に伸びる。脚３１の下端部近傍の孔４２から立設した脚立の接地面の外延方向に棒体４３を引出すことにより脚立を安定状態に立設でき、人が脚立上で安心して長時間作業ができる。
【００３６】
更に、脚立転倒防止部材としての棒体４４を各脚３１の下端部に設けた軸４５に回動自在に取付けても良い。このとき脚３１の壁面に切欠４６を設け、約２７０℃反転させた棒体４４が嵌り込むようにする。反転した棒体４４の伸びる方向は、やはり、脚３１の軸方向と交叉する方向で脚立を立設したとき４本の脚３１が接地する面より外延方向に伸びる。棒体４４を約２７０℃反転させると、脚立を安定状態に立設でき、人が脚立上で安心して長時間作業ができる。
【００３７】
図１３は、本発明の脚立の異なる実施例を示す要部拡大断面図である。図示したように、脚５１に軸５２により両端が回動自在な踏み板５３を取付ける。軸５２の下方に、脚５１に添設した開口より内部が広い溝５５を内を脚５１に添って摺動自在な摺動片５４を取付ける。溝５５の下端には、摺動片５４が当接し、停止部材５６が設けられ、溝５５内の摺動片５４は、停止部材５６と脚５１に取付けられた踏み板５３の端部間を摺動する。踏み板５３の所定の位置に軸５７により回動自在に一端が取付けられ、前記摺動片５４に他端が軸５８により回動自在に取付けられた筋交５９を設ける。
【００３８】
尚、摺動片５４は、脚５１に添って摺動自在に取付けられていれば、如何なる方法で取付けられていても良い。又、図では、摺動片５４を脚５１に摺動自在に取付けて図示しているが、踏み板５３に添って摺動自在に取付けても良く、このときの筋交５９の一端は脚の所定の位置に、他端は摺動片５４に夫々回動自在に取付けられる。
【００３９】
上記構成の筋交５９を有する脚立は、以下のように開閉する。脚立を開脚した状態では、脚５１と踏み板５３がＴ型に配置され、脚５１に添設された溝５５内の摺動片５４が停止部材５６に当設し他状態出、踏み板５３と摺動片５４に軸５７，５８回動自在となっており、踏み板５３はそれ以上回動できない。脚立を窄めて閉脚すると、踏み板５３は矢印Ｘ方向に回動して脚５１と平行になル。このとき摺動片５４は踏み板５４の回動に従い矢印Ｙ方向に引張られ軸５２に接近する。
【００４０】
上記構成の筋交５９を有する脚立は、窄めれば１本の棒状となり、開脚すれば安定した状態を保持でき、誰にでも安心して使用できると共に、嵩張らないから不使用時の保管や移動にスペースを取られず、乗用車の室内やトランクルームに収納しても邪魔にならない。
【００４１】
尚、本発明の実施の形態の各構成を必要に応じ組替えることができる。又、上記した実施の形態に限定されるものではなく、本発明の要旨を逸脱しない範囲内において種々変更を加え得ることは勿論である。
【産業上の利用可能性】
【００４２】
本発明の脚立は、脚立上で作業をしても揺動しない安全な業務用、家庭用脚立であり、折畳むと１本の棒状となり保管場所も取らず、移動（輸送、持ち運び等）も容易な脚立である。
【図面の簡単な説明】
【００４３】
【図１】本発明の脚立の１実施例を示す分解斜視図である。
【図２】図１のＡ―Ａ線要部拡大断面図である。
【図３】図２のＢ―Ｂ線要部拡大断面図である。
【図４】図３のＩ―Ｉ線拡大断面図である。
【図５】本発明の脚立の固定部材の異なる実施例の拡大断面図である。
【図６】本発明の脚立の異なる実施例を示す要部拡大断面図である。
【図７】一部の当接駒を軸棒と一体化した実施例を示す要部拡大断面図である。
【図８】本発明の脚立の異なる実施例を示す要部拡大断面図である。
【図９】図８のＣ―Ｃ線要部拡大断面図である。
【図１０】本発明の脚立の異なる実施例を示す側面図である。
【図１１】図１０の要部拡大図付正面図である。
【図１２】本発明の脚立の異なる実施例を示す要部拡大断面図付正面図である。
【図１３】本発明の脚立の異なる実施例を示す要部拡大断面図である。
【符号の説明】
【００４４】
１      踏み板
１ａ    踏み板
１ｂ    筋交
２      梯子体
３      連結部
４      脚立本体
５      開脚防止部材としての杆（或は鎖）
６      脚
７      固定部材
８      当接部材
９      係止部材
１０      ネジ溝
１１      軸棒
１２ａ，１２ｂ，１２ｃ，１２ｄ，１２ｅ      突起としての当接駒
１３      掛け止め具としてのバックル
１４      函
１５      取付け部材
１６      掛け止め部
１７      掛け止め具
２０      連結部材
２１      係止部
２２      弾性体
２３      押圧部材
３０      脚立本体
３１      脚
３２      開脚防止部材
３３      梯子体
３４      踏み板
３５      過回動防止部材
３６      連結部
４０      踏み板
４１      過回動防止部材
４２      孔
４３，４４      脚立転倒防止部材としての棒体
４５      軸
４６      切欠
５１      脚
５２      軸
５３      踏み板
５４      摺動片
５５      溝
５６      停止部材
５７      軸
５８      軸
５９      筋交
【図１】
2005126906.tif 000003
【図２】
2005126906.tif 000004
【図３】
2005126906.tif 000005
【図４】
2005126906.tif 000006
【図５】
2005126906.tif 000007
【図６】
2005126906.tif 000008
【図７】
2005126906.tif 000009
【図８】
2005126906.tif 000010
【図９】
2005126906.tif 000011
【図１０】
2005126906.tif 000012
【図１１】
2005126906.tif 000013
【図１２】
2005126906.tif 000014
【図１３】
2005126906.tif 000015